(57)【特許請求の範囲】
【請求項１】
定電圧電源部から分岐された複数の並列接続ラインに対して、順方向電圧を加えた際に発光する複数の半導体発光素子を振り分けて並列接続し、当該複数の並列接続ライン毎に設けたスイッチング素子を独立してオン／オフすることで、前記並列接続ライン毎の半導体発光素子の点灯を制御する基本点灯制御回路を構成し、
当該基本点灯制御回路を、少なくとも２以上組み合わせ、かつ相対的に対となる並列接続ライン毎に前記スイッチング素子を共通として、各並列接続ライン毎の半導体発光素子の点灯を制御する点灯制御回路であって、
一の基本点灯制御回路に属する半導体発光素子の内、回路構成上、他の基本点灯制御回路に属する半導体発光素子に対して逆電圧をかけることになる特定半導体発光素子の順方向電圧ＶＦ２を、第１の基本点灯制御回路における特定半導体発光素子以外の非特定半導体発光素子の順方向電圧ＶＦ１よりも高くし、かつ、前記他の基本点灯制御回路の半導体発光素子の定格値を超えないように、
それぞれの基本点灯制御回路の前記定電圧電源部と各半導体発光素子との間に抵抗を介在させて分圧し、基本点灯制御回路における複数の並列接続ライン毎の半導体発光素子の順方向電圧を異ならせることを特徴とする点灯制御回路。
【請求項２】
定電圧電源部の出力線を少なくも２以上に分岐し、前記分岐線には、ＬＥＤのアノード側が、それぞれ接続された回路を１組とした場合に、少なくとも２組以上の回路で構成され、前記２組以上の回路が、各組間で対となり得る分岐線同士を前記ＬＥＤのカソード側で接続し、かつ接続された分岐線の各ＬＥＤのオン・オフを制御するスイッチング素子が共通に利用可能となるように接続されることで、前記定電圧電源部のオン・オフ及び前記スイッチング素子のオン・オフによって、各ＬＥＤを独立して点灯又は消灯することが可能な点灯制御回路であって、
前記定電圧電源部における前記分岐前の出力線に、各ＬＥＤへ印加する電圧が定格以下となるように降圧する共通の抵抗を介在させると共に、分岐後の出力線にさらに抵抗を介在させて各ＬＥＤの順方向電圧を相互に異ならせたことを特徴とする点灯制御回路。
【発明の詳細な説明】
【技術分野】
【０００１】
本発明は、スイッチング素子のオン／オフと、２個以上の定電圧電源部のオン／オフとにより、各並列接続ライン毎の半導体発光素子の点灯を制御する点灯制御回路に関する。
【背景技術】
【０００２】
従来、遊技機、例えばパチンコ機やパチスロ機においては、主として遊技中の演出を目的として、遊技盤と対面するように配置された透明ガラス板の周囲に装飾用のレンズカバーが取付けられている。レンズカバー内には、多くの半導体発光素子（例えば、ＬＥＤ）が基板上に取付けられた状態で配置されている。
【０００３】
ＬＥＤは、その点灯制御回路として、複数の第１の端子を有する第１の端子群と、複数の第２の端子を有する第２の端子群とを設け、第１の端子と第２の端子との間にＬＥＤをマトリクス状に配置した構成が提案されている（特許文献１参照）。
【０００４】
なお、特許文献１では、上記点灯制御回路を、「ダイナミックドライブ回路」と称している。
【０００５】
上記ダイナミックドライブ回路の最も単純構成を、図８に示す。
【０００６】
図８の点灯制御回路Ａでは、定電圧電源部１、定電圧電源部２、並びにスイッチング素子Ｑ１，Ｑ２がそれぞれオン・オフすることで、ＬＥＤ−Ａ、ＬＥＤ−Ｂ、ＬＥＤ−Ｃ、ＬＥＤ−Ｄをそれぞれ点灯、消灯制御することができるようになっている。
【０００７】
ここで、上記図８の点灯制御回路Ａにおいて、ＬＥＤ−Ａのみを点灯させる場合、定電圧電源部１がオン、定電圧電源部２がオフで、ハイインピーダンス、スイッチング素子Ｑ１がオフ、スイッチング素子Ｑ２がオンとなる。
【０００８】
このときの電流の流れは、図８の実線で示すように流れ、ＬＥＤ−Ａが点灯する。
【特許文献１】特開２００２−１７７４７５公報
【発明の開示】
【発明が解決しようとする課題】
【０００９】
しかしながら、このＬＥＤ−Ａの点灯時、図８の鎖線で示すような電流の流れが考えられる。すなわち、定電圧電源部１→抵抗Ｒ２→ＬＥＤ−Ｂ→ＬＥＤ−Ｄ→抵抗Ｒ４→抵抗Ｒ３→ＬＥＤ−Ｃ→スイッチング素子Ｑ２を経由する流れである。
【００１０】
この図８の鎖線のルートの場合、実際には、ＬＥＤ−Ｄに定電圧電源部１による逆電圧がかかることになり、ＬＥＤ−Ｄの破損につながる。
【００１１】
これを解消するために、各ＬＥＤに対して逆電圧を防止するためのダイオードを介在させればよいが（前述の特許文献１参照）、ＬＥＤの数だけダイオードが必要となり、部品点数の大幅な増大を招くことになる。
【００１２】
本発明は上記事実を考慮し、半導体発光素子の逆電圧以上の出力電圧となる定電圧電源を用いた際、逆電圧防止ダイオード等の付加的電子部品を用いることなく、各半導体発光素子に最大定格逆電圧以上がかかることを防止することができる点灯制御回路を得ることが目的である。
【課題を解決するための手段】
【００１３】
第１の発明は、定電圧電源部から分岐された複数の並列接続ラインに対して、順方向電圧を加えた際に発光する複数の半導体発光素子を振り分けて並列接続し、当該複数の並列接続ライン毎に設けたスイッチング素子を独立してオン／オフすることで、前記並列接続ライン毎の半導体発光素子の点灯を制御する基本点灯制御回路を構成し、当該基本点灯制御回路を、少なくとも２以上組み合わせ、かつ相対的に対となる並列接続ライン毎に前記スイッチング素子を共通として、各並列接続ライン毎の半導体発光素子の点灯を制御する点灯制御回路であって、一の基本点灯制御回路に属する半導体発光素子の内、回路構成上、他の基本点灯制御回路に属する半導体発光素子に対して逆電圧をかけることになる特定半導体発光素子の順方向電圧ＶＦ２を、第１の基本点灯制御回路における特定半導体発光素子以外の非特定半導体発光素子の順方向電圧ＶＦ１よりも高くし、かつ、前記他の基本点灯制御回路の半導体発光素子の定格値を超えないように、それぞれの基本点灯制御回路の前記定電圧電源部と各半導体発光素子との間に抵抗を介在させて分圧し、基本点灯制御回路における複数の並列接続ライン毎の半導体発光素子の順方向電圧を異ならせることを特徴としている。
【００１４】
第１の発明によれば、基本半導体発光素子点灯制御回路を以下のように構成する。
【００１５】
すなわち、複数の半導体発光素子を用い、定電圧電源部から分岐された複数のラインに対して、前記複数の半導体発光素子を振り分けることで、前記半導体発光素子を並列接続し、複数の並列接続ライン毎に、それぞれ独立したスイッチング素子を配し、前記スイッチング素子をオン／オフする。この基本半導体発光素子点灯制御回路の最も単純な回路は、２個の半導体発光素子を、１個の定電圧電源部と、２個のスイッチング素子のオン／オフを制御する構成である。
【００１６】
第１の発明では、この基本半導体発光素子点灯制御回路を、少なくとも２以上組み合わせ、かつ相対的に対となる並列接続ライン毎に前記スイッチング素子を共通とし、このスイッチング素子のオン／オフと、前記２個以上の定電圧電源部のオン／オフとにより、各並列接続ライン毎の半導体発光素子の点灯を制御するようにしている。
【００１７】
上記回路において、一の基本点灯制御回路に属する半導体発光素子の内、回路構成上、他の基本点灯制御回路に属する半導体発光素子に対して逆電圧をかけることになる特定半導体発光素子の順方向電圧ＶＦ２を、第１の基本点灯制御回路における特定半導体発光素子以外の非特定半導体発光素子の順方向電圧ＶＦ１よりも高くし、かつ、前記他の基本点灯制御回路の半導体発光素子の定格値を超えないように、それぞれの基本点灯制御回路の前記定電圧電源部と各半導体発光素子との間に抵抗を介在させて分圧し、基本点灯制御回路における複数の並列接続ライン毎の半導体発光素子の順方向電圧を異ならせる。
【００１８】
このため、他の基本半導体発光素子点灯制御回路の半導体発光素子へ逆電圧をかけ得る対象である特定半導体発光素子がオフ指示（消灯指示）のときでも、当該特定半導体発光素子の順方向定格電圧がかかるのみであり、他の基本半導体発光素子点灯制御回路の半導体発光素子への逆電圧も定格順方向電圧以下となる。
【００１９】
これにより、逆方向電圧を阻止するための半導体（ダイオード等）を付加する必要なく、半導体発光素子の破損を防止することができる。
【００２０】
第２の発明は、定電圧電源部の出力線を少なくも２以上に分岐し、前記分岐線には、ＬＥＤのアノード側が、それぞれ接続された回路を１組とした場合に、少なくとも２組以上の回路で構成され、前記２組以上の回路が、各組間で対となり得る分岐線同士を前記ＬＥＤのカソード側で接続し、かつ接続された分岐線の各ＬＥＤのオン・オフを制御するスイッチング素子が共通に利用可能となるように接続されることで、前記定電圧電源部のオン・オフ及び前記スイッチング素子のオン・オフによって、各ＬＥＤを独立して点灯又は消灯することが可能な点灯制御回路であって、前記定電圧電源部における前記分岐前の出力線に、各ＬＥＤへ印加する電圧が定格以下となるように降圧する共通の抵抗を介在させると共に、分岐後の出力線にさらに抵抗を介在させて各ＬＥＤの順方向電圧を相互に異ならせたことを特徴としている。
【００２１】
第２の発明によれば、ＬＥＤの場合、定格順方向電圧が、２．０Ｖ〜４．０Ｖ程度であるのに対し、定電圧電源部の出力電圧は、それよりも高い電圧が出力される場合がある。このため、オフ指示のＬＥＤに逆電圧がかかる経路が存在すると、この逆電圧によってＬＥＤが破損する場合がある。そこで、この定電圧電源部の出力に対して抵抗によって、全てのＬＥＤの順方向電圧に降下させることで、逆電圧を阻止するための半導体（ダイオード等）を付加する必要なく、ＬＥＤの破損を防止することができる。
【発明の効果】
【００２２】
以上説明した如く本発明では、半導体発光素子の逆電圧以上の出力電圧となる定電圧電源を用いた際、逆電圧防止ダイオード等の付加的電子部品を用いることなく、各半導体発光素子に最大定格逆電圧以上がかかることを防止することができるという優れた効果を有する。
【発明を実施するための最良の形態】
【００２３】
図１には、本実施の形態に係るＬＥＤ点灯制御回路１００が示されている。
【００２４】
このＬＥＤ点灯制御回路１００は、２個の基本点灯制御回路（以下、第１の基本点灯制御回路１０２、第２の基本点灯制御回路１０４という）が組み合わされて構成されている。
【００２５】
第１の基本点灯制御回路１０２は、定電圧電源部１０６を備えている。定電圧電源部１０６の出力電源線１０８には、抵抗Ｒ１の一端部が接続されている。抵抗Ｒ１の他端部は、抵抗Ｒ２の一端部に接続されている。
【００２６】
抵抗Ｒ２の他端部は、ＬＥＤ１のアノード側（電流入力側電極）に接続されている。このＬＥＤ１は、順方向電圧ＶＦ１で点灯する仕様となっている。
【００２７】
一方、前記抵抗Ｒ１と抵抗Ｒ２との間（中点１１０）には、ＬＥＤ２のアノード側に接続されている。このＬＥＤ２は、順方向電圧ＶＦ２で点灯する仕様となっている。
【００２８】
なお、前記ＬＥＤ１の順方向電圧ＶＦ１と、ＬＥＤ２の順方向電圧ＶＦ２とは、以下の相関関係を持っている。
【００２９】
ＶＦ１＜ＶＦ２・・・（１）
前記ＬＥＤ２のカソード側（電流出力側電極）は、スイッチング素子であるスイッチングトランジスタＱ１のコレクタＣに接続されている。このスイッチングトランジスタＱ１のエミッタＥはアースされている。また、スイッチングトランジスタＱ１のベースＢは、図示しない制御部に接続され、オン信号及びオフ信号が入力されるようになっている。通常ベースＢには、オン信号として１Ｖ程度以上を入力し、オフ信号として０Ｖが入力する。
【００３０】
ここで、スイッチングトランジスタＱ１のベースＢにオン信号が入力されると、コレクタＣ−エミッタＥ間がオンする。これにより、定電圧電源部１０６→抵抗Ｒ１→ＬＥＤ２→スイッチング素子Ｑ１という回路が構成され、ＬＥＤ２が点灯する。また、ベースＢにオフ信号が入力されると、上記回路が遮断され、ＬＥＤ２が消灯する。
【００３１】
次に、前記ＬＥＤ１のカソード側（電流出力側電極）は、スイッチング素子であるスイッチングトランジスタＱ２のコレクタＣに接続されている。このスイッチングトランジスタＱ２のエミッタＥはアースされている。また、スイッチングトランジスタＱ２のベースＢは、図示しない制御部に接続され、オン信号及びオフ信号が入力されるようになっている。通常ベースＢには、オン信号として１Ｖ程度以上を入力し、オフ信号として０Ｖが入力する。
【００３２】
ここで、スイッチングトランジスタＱ２のベースＢにオン信号が入力されると、コレクタＣ−エミッタＥ間がオンする。これにより、定電圧電源部１０６→抵抗Ｒ１→抵抗Ｒ２→ＬＥＤ１→スイッチングトランジスタＱ１という回路が構成され、ＬＥＤ１が点灯する。また、スイッチングトランジスタＱ２のベースＢにオフ信号が入力されると、上記回路が遮断され、ＬＥＤ１が消灯する。
【００３３】
第２の基本点灯制御回路１０４は、定電圧電源部１１２を備えている。定電圧電源部１１２の出力電源線１１４には、抵抗Ｒ３の一端部が接続されている。抵抗Ｒ３の他端部は、抵抗Ｒ４の一端部に接続されている。
【００３４】
抵抗Ｒ４の他端部は、ＬＥＤ３のアノード側（電流入力側電極）に接続されている。このＬＥＤ３は、順方向電圧ＶＦ３で点灯する仕様となっている。
【００３５】
一方、前記抵抗Ｒ３と抵抗Ｒ４との間（中点１１６）には、ＬＥＤ４のアノード側に接続されている。このＬＥＤ４は、順方向電圧ＶＦ４で点灯する仕様となっている。
【００３６】
なお、前記ＬＥＤ３の順方向電圧ＶＦ３と、ＬＥＤ４の順方向電圧ＶＦ４とは、以下の相関関係を持っている。
【００３７】
ＶＦ３＜ＶＦ４・・・（２）
前記ＬＥＤ４のカソード側（電流出力側電極）は、スイッチング素子であるスイッチングトランジスタＱ１のコレクタＣに接続されている。このスイッチングトランジスタＱ１のエミッタＥはアースされている。また、スイッチングトランジスタＱ１のベースＢは、図示しない制御部に接続され、オン信号及びオフ信号が入力されるようになっている。通常ベースＢには、オン信号として１Ｖ程度以上を入力し、オフ信号として０Ｖが入力する。
【００３８】
ここで、スイッチングトランジスタＱ１のベースＢにオン信号が入力されると、コレクタＣ−エミッタＥ間がオンする。これにより、定電圧電源部１１２→抵抗Ｒ３→ＬＥＤ４→スイッチングトランジスタＱ１という回路が構成され、ＬＥＤ４が点灯する。また、ベースＢにオフ信号が入力されると、上記回路が遮断され、ＬＥＤ４が消灯する。
【００３９】
次に、前記ＬＥＤ３のカソード側（電流出力側電極）は、スイッチング素子であるスイッチングトランジスタＱ２のコレクタＣに接続されている。このスイッチングトランジスタＱ２のエミッタＥはアースされている。また、スイッチングトランジスタＱ２のベースＢは、図示しない制御部に接続され、オン信号及びオフ信号が入力されるようになっている。通常ベースＢには、オン信号として１Ｖ以上を入力し、オフ信号として０Ｖが入力する。
【００４０】
ここで、Ｑ２ベースＢにオン信号が入力されると、コレクタＣ−エミッタＥ間がオンする。これにより、定電圧電源部１１２→抵抗Ｒ３→抵抗Ｒ４→ＬＥＤ３→スイッチング素子Ｑ１という回路が構成され、ＬＥＤ３が点灯する。また、ベースＢにオフ信号が入力されると、上記回路が遮断され、ＬＥＤ３が消灯する。
【００４１】
ここで、図１に示される如く、第１の基本点灯制御回路１０２と第２の基本点灯制御回路１０４とは、スイッチングトランジスタＱ１、Ｑ２が共有されていることがわかる。
【００４２】
この構成により、２個の定電圧電源部１０６、１１２と、２個のスイッチングトランジスタＱ１，Ｑ２により、ＬＥＤ１、ＬＥＤ２、ＬＥＤ３、ＬＥＤ４に対して、４種類（＝２×２）の点灯制御パターン（ＬＥＤを組合わせると理論的に１６通り、詳細後述）を構築することができる。言い換えれば、ＬＥＤ１、ＬＥＤ２、ＬＥＤ３、ＬＥＤ４をそれぞれ独立して点灯又は消灯させることができる。
【００４３】
ところで、定電圧電源部１０６、１１２は、文字通り定電圧を出力するが、ＬＥＤ１〜４に対して、所定の電圧値以上で出力させる必要がある。
【００４４】
すなわち、ＬＥＤの定格順方向電圧が２〜４Ｖであるのに対して、これ以上の電圧を出力させる場合がある。従って、図８に示すように従来は、第１の基本点灯制御回路１０２のオフ指示のＬＥＤ（より具体的には、ＬＥＤＡがオン指示でＬＥＤＢオフ指示の場合のＬＥＤＢが対象）を経由する不必要な回路が存在し、第２の基本点灯制御回路１０４のオフ指示のＬＥＤ（より具体的には、ＬＥＤＤ）に逆電圧がかかることがあったが、図１に示すように本実施の形態では、抵抗Ｒ１と抵抗Ｒ２の中点にＬＥＤ２を接続したため、オフ指示にかかる電圧がほぼＶＦ２であり、ＬＥＤ定格逆電圧を超えるような電圧がかかることがない回路構成となっている。
【００４５】
以下に本実施の形態の作用を説明する。
【００４６】
（パターン１）ＬＥＤ１の点灯制御（以下、図２参照）
この場合は、定電圧電源部１０６をオン（ＯＮ）、定電圧電源部１１２をオフ（ＯＦＦ）、スイッチングトランジスタＱ１をオフ（ＯＦＦ）、スイッチングトランジスタＱ２をオン（ＯＮ）とする。
【００４７】
この結果、図２（Ａ）の実線で示されるように電流が流れ、ＬＥＤ１が点灯する。
【００４８】
（パターン２）ＬＥＤ２の点灯制御
この場合は、定電圧電源部１０６をオン（ＯＮ）、定電圧電源部１１２をオフ（ＯＦＦ）、スイッチングトランジスタＱ１をオン（ＯＮ）、スイッチングトランジスタＱ２をオフ（ＯＦＦ）とする。
【００４９】
この結果、図２（Ｂ）の実線で示されるように電流が流れ、ＬＥＤ１が点灯する。
【００５０】
（パターン３）ＬＥＤ３の点灯制御
この場合は、定電圧電源部１０６をオフ（ＯＦＦ）、定電圧電源部１１２をオン（ＯＮ）、スイッチングトランジスタＱ１をオフ（ＯＦＦ）、スイッチングトランジスタＱ２をオン（ＯＮ）とする。
【００５１】
この結果、図２（Ｃ）の実線で示されるように電流が流れ、ＬＥＤ１が点灯する。
【００５２】
（パターン４）ＬＥＤ４の点灯制御
この場合は、定電圧電源部１０６をオフ（ＯＦＦ）、定電圧電源部１１２をオン（ＯＮ）、スイッチングトランジスタＱ１をオン（ＯＮ）、スイッチングトランジスタＱ２をオフ（ＯＦＦ）とする。
【００５３】
この結果、図２（Ｄ）の実線で示されるように電流が流れ、ＬＥＤ１が点灯する。
【００５４】
上記４種類のパターンが基本となり、これらを組み合わせることで、この回路では理論的には、２４通り（＝１６通り）のパターンが存在するが、定電圧電源１０６、１１２が双方ともオフの場合、並びにスイッチングトランジスタＱ１，Ｑ２の双方ともオフの場合は、そもそも電流が流れないので、ＬＥＤ１〜４が点灯することはなく、実質的には、全消灯を除くと９通りのパターンとなる（表1参照）。なお、現状の使用状態はＬＥＤの１個単位の点灯モードだけである。
【００５５】
このように、各ＬＥＤを独立して点灯制御することが可能であるということは、それぞれのデューティを調整することで輝度調整も独立して可能ということができる。さらに、輝度調整が独立して可能ということは、ＲＧＢのＬＥＤを組み合わせる（後述する変形例等）ことで、フルカラー色を実現することができる。
【００５６】
【表１】
0005260934.tif 000002
【００５７】
ここで、図２（Ａ）の状態（すなわち、パターン１の状態）を例にとって説明する。図３は、前記図２（Ａ）において、発生し得る電流の流れを鎖線で示したものである。
【００５８】
すなわち、本来は、図３の実線で示すように電流が流れ、ＬＥＤ１が点灯するが、本構成の点灯制御回路のように、２以上の基本点灯制御回路（第１の基本点灯制御回路１０２、第２の基本点灯制御回路１０４）がスイッチング素子Ｑ１，Ｑ２を共有していると、図３の鎖線のような電流の流れる回路が生成される。
【００５９】
すなわち、定電圧電源部１０６→抵抗Ｒ１→ＬＥＤ２→ＬＥＤ４→抵抗Ｒ４→ＬＥＤ３→スイッチングトランジスタＱ２のルートである。これは、言い換えれば、ＬＥＤ４に対して逆電圧の係るルートである。
【００６０】
しかし、本実施の形態では、定電圧電源部１０６から出力される電圧が抵抗Ｒ１（及び抵抗Ｒ２）に流れる電流により、抵抗Ｒ１と抵抗Ｒ２の中点の電圧が降下している。設計上のこの電圧は、ＬＥＤ２の順方向電圧（約３Ｖ前後）としているため、ＬＥＤ４にかかる逆電圧も定格逆電圧（約５．０Ｖ）を超えるようなことがない。
【００６１】
このため、本実施の形態のようにスイッチングトランジスタＱ１，Ｑ２を共有する、２以上の基本点灯制御回路が所謂たすきがけの如き配線されたとしても、相関する２以上の基本点灯制御回路間で定格逆電圧以上の逆電圧がかかることを防止することができる。
【００６２】
また、上記構成により、逆電圧防止用のダイオード等を付加する必要がなく、部品点数も少なく、回路構成が単純化し、基板面積を小さくすることができる。
【００６３】
なお、上記では、図２（Ａ）のパターン１を例にとり逆電圧発生ルートと、当該逆電圧に対する本発明の対応を説明したが、他のパターンであっても同様に逆電圧を低く抑える（各ＬＥＤの定格順方向電圧以下に抑える）ことが可能である。
【００６４】
（変形例１）
図４に、本実施の形態の変形例１を示す。この変形例１は、ＬＥＤとしてＲ（レッド）色ＬＥＤ（以下、「ＬＥＤ−Ｒ」という）、Ｇ（グリーン）色ＬＥＤ（以下、「ＬＥＤ−Ｇ」という）、Ｂ（ブルー）色ＬＥＤ（以下、「ＬＥＤ−Ｂ」という）の各色を用い、その点灯制御（点灯時間を含む）により、フルカラーを再現させることがきる点灯制御回路である。
【００６５】
図４に示される如く、変形例では第１の基本点灯制御回路１１８と第２の点灯制御回路１２０の２組構成であり、基本的には、図１の点灯制御回路と同等であるため、同一構成部分は同一の符号を付す。
【００６６】
第１の基本点灯制御回路１１８と第２の点灯制御回路１２０には、それぞれにＬＥＤ−Ｒ、ＬＥＤ−Ｇ、ＬＥＤ−Ｂの３個のＬＥＤが取付けられ、それぞれスイッチングトランジスタＱ１，Ｑ２，Ｑ３によって独立して点灯制御可能となっている。なお、第１の基本点灯制御回路１１８と第２の点灯制御回路１２０とにおいて、スイッチングトランジスタＱ１，Ｑ２，Ｑ３が共有される。
【００６７】
図４において、それぞれの順方向電圧ＶＦの関係は、ＬＥＤ−Ｒ１＜ＬＥＤ−Ｇ１、かつＬＥＤ−Ｂ１＜ＬＥＤ−Ｇ１とする。また、同様に、ＬＥＤ−Ｒ２＜ＬＥＤ−Ｇ２、かつＬＥＤ−Ｂ２＜ＬＥＤ−Ｇ２とする。
【００６８】
ここで、定電圧電源部１０６とスイッチングトランジスタＱ３がオンで、他がオフの場合、電流は抵抗Ｒ１→ＬＥＤ−Ｇ１→Ｑ３のルートで電流が流れ、ＬＥＤ−Ｇ１にかかる電圧は、当該ＬＥＤ−Ｇ１の順方向電圧ＶＦとなる。
【００６９】
このとき、一例として、電圧が抵抗Ｒ１→Ｒ３→ＬＥＤ−Ｂ１→ＬＥＤ−Ｂ２→抵抗Ｒ６→ＬＥＤ−Ｇ２→Ｑ３のルートにかかり、ＬＥＤ−Ｂ２に逆電圧がかかるが、Ｒ１とＬＥＤ−Ｇ１の中点の電圧はＬＥＤ−Ｇ１のＶＦになっているため、ＬＥＤ−Ｂ２に定格逆電圧以上の逆電圧がかかることがない。このため、逆電圧防止のためのダイオードが不要となる。
【００７０】
（変形例２）
変形例２として、図５に示される如く、図４の回路構成に対して、ＬＥＤ−Ｇ１及びＬＥＤ−Ｇ２の給電ラインに抵抗を入れている。なお、図５では、具体的な抵抗値を示す。
【００７１】
ＬＥＤ−Ｇ１及びＬＥＤ−Ｇ２の給電ラインの抵抗は、約１０Ωであり、これを入れることで、他の抵抗も＋１０Ωとする。
【実施例】
【００７２】
以下に本発明の実施例（適用例）を示す。
【００７３】
図６及び図７には、遊技機としてのパチンコ機１０が示されている。パチンコ機１０の前面下部には、化粧パネルとなる下飾り１２が取り付けられている。
【００７４】
また、パチンコ機１０の下飾り１２の上部には、ガラス板１４を装着したガラス枠１６が配置されており、ガラス枠１６は左側端部が軸支されて開閉可能に取り付けられている。このガラス枠１６の裏面側には、矩形状の開口部が設けられ、交換可能とされた遊技盤１００がセットされており、遊技盤１００は、ガラス枠１６を閉塞した状態でガラス板１４に対向するようになっている。
【００７５】
ガラス枠１６におけるガラス板１４の周囲には、遊技の進行に応じて点灯、消灯、及び点滅し照明による演出効果を生み出す照明演出用のレンズカバー２０が配置されており、上部には、遊技の効果音やＢＧＭ、音声等をステレオ出力する中・高音用スピーカ２２Ｌ、２２Ｒが配設されている。
【００７６】
ガラス枠１６の下部には、一体皿２４が配置されている。この一体皿２４の右側下部には打球の発射力（飛距離）を調整するための発射ハンドル２６が取り付けられている。また、一体皿２４には、前記スピーカ２２Ｌ、２２Ｒと共に２．１サラウンドシステムを構成する低音用スピーカ（図示省略）が内蔵されている。
【００７７】
上記パチンコ機１０において、主として遊技中の演出を目的として、前記レンズカバー２０に覆われた位置に、本発明の点灯制御回路の少なくともＬＥＤが取り付けられた基板（ＬＥＤ基板２０Ａ）が配置され、当該ＬＥＤが適宜点灯・消灯する。
【００７８】
なお、当該ＬＥＤの点灯制御回路は、パチンコ機１０の裏面側に集中的に配設される制御基板の一部として設けられているのが一般的である。この制御基板からのリード線等により、前記レンズカバー２０に覆われたＬＥＤ基板２０Ａまで配線される。
【００７９】
特に、パチンコ機１０等の遊技機では、遊技趣向性の向上のための電飾が大きな割合を示し、年々派手な演出（多色、フルカラー演出、光量差等）となってきており、ＬＥＤの使用数もその分増加傾向にある。
【００８０】
このような遊技機業界において、ＬＥＤが増加した分、逆電圧防止用ダイオードが増えるのは致命的であり、安価な定電圧電源を用い、かつスイッチング素子を共有した回路において、逆電圧防止用ダイオードが不要な、本発明は有用である。
【図面の簡単な説明】
【００８１】
【図１】本実施の形態に係るＬＥＤ点灯制御回路図（基本構成）である。
【図２】各ＬＥＤの点灯時の電流の流れを示す、図１のＬＥＤ点灯制御回路図である。
【図３】図２（Ａ）の点灯制御状態を例にとって逆電圧発生ルートを示すＬＥＤ点灯制御回路図である。
【図４】変形例１に係るＬＥＤ点灯制御回路図（ＲＧＢ組み合わせ構成）である。
【図５】変形例２に係るＬＥＤ点灯制御回路図（ＲＧＢ組み合わせ構成）である。
【図６】本発明の実施例に係るパチンコ機の正面図である。
【図７】本発明の実施例に係るパチンコ機の斜視図である。
【図８】従来例に係るＬＥＤ点灯制御回路図である。
【符号の説明】
【００８２】
ＬＥＤ１（半導体発光素子）
ＬＥＤ２（半導体発光素子）
ＬＥＤ３（半導体発光素子）
ＬＥＤ４（半導体発光素子）
Ｒ１    抵抗
Ｒ２    抵抗
Ｒ３    抵抗
Ｒ４    抵抗
Ｑ１    スイッチングトランジスタ
Ｑ２    スイッチングトランジスタ
１００    ＬＥＤ点灯制御回路
１０２    第１の基本点灯制御回路
１０４    第２の基本点灯制御回路
１０６    定電圧電源部
１０８    出力電源線
１１０    中点
１１２    定電圧電源部
１１４    出力電源線
１１６    中点
【図１】
0005260934.tif 000003
【図２】
0005260934.tif 000004
【図３】
0005260934.tif 000005
【図４】
0005260934.tif 000006
【図５】
0005260934.tif 000007
【図６】
0005260934.tif 000008
【図７】
0005260934.tif 000009
【図８】
0005260934.tif 000010